【手続補正書】
【提出日】平成26年1月31日(2014.1.31)
【手続補正１】
【補正対象書類名】特許請求の範囲
【補正対象項目名】全文
【補正方法】変更
【補正の内容】
【特許請求の範囲】
【請求項１】
眼内圧を低減するためのデバイスであって、該デバイスは：
シュレム管内の少なくともある部分において円周方向に移植可能であって、シュレム管の少なくともある部分の少なくとも部分的な開通性を修復または維持するように配置される、ねじられたリボン部材を含み、
ここで該ねじられたリボン部材は、二重螺旋として構成され、そして該二重螺旋の螺旋は、該螺旋の間に複数の支柱を含み、該複数の支柱は、複数の穴を画定する、デバイス。
【請求項２】
請求項１に記載のデバイスであって、ここで前記二重螺旋が、ある長さ、第一の細長いエッジ、第二の細長いエッジおよび長手方向の中央軸を含み、前記複数の支柱は、該長手方向の中央軸に対して実質的に垂直な方向で伸長している、デバイス。
【請求項３】
請求項２に記載のデバイスであって、ここで前記第一および第二の細長いエッジは、該デバイスがシュレム管に移植されるときにシュレム管の内側表面と連続して接触するように配置される、デバイス。
【請求項４】
請求項１に記載のデバイスであって、ここで該デバイスがシュレム管に移植されるときに、該デバイスは、シュレム管を横切る経壁の流れを実質的に妨げない、デバイス。
【請求項５】
前記ねじられたリボン部材が形状記憶合金を含む、請求項１に記載のデバイス。
【請求項６】
前記形状記憶合金がニッケル−チタン合金を含む、請求項５に記載のデバイス。
【請求項７】
前記ねじられたリボン部材が金属合金を含む、請求項１に記載のデバイス。
【請求項８】
前記金属合金がステンレス鋼を含む、請求項７に記載のデバイス。
【請求項９】
前記ねじられたリボン部材が金属を含む、請求項１に記載のデバイス。
【請求項１０】
前記金属がチタンを含む、請求項９に記載のデバイス。
【請求項１１】
眼内圧を低減するためのキットであって、該キットは、以下：
請求項１〜１０に記載のデバイスのいずれか一つ；および
該デバイスをシュレム管内に送達するように構成される導入器
を含む、キット。
【請求項１２】
前記導入器がカニューレを含む、請求項１１に記載のキット。
【請求項１３】
前記導入器が、押し出し部材をさらに含む、請求項１２に記載のキット。
【手続補正２】
【補正対象書類名】明細書
【補正対象項目名】００４０
【補正方法】変更
【補正の内容】
【００４０】
特定のバリエーションにおいて、眼内圧を低減するための方法は、リボン部材を含む第一の支持体をシュレム管内に円周方向に挿入する工程を含み得、その結果、上記第一の支持体は、シュレム管内に完全に含まれ、ここで上記第一の支持体は、シュレム管の少なくともある部分の開通性を維持し、シュレム管を横切る経壁の流れを実質的に妨げない。いくつかのバリエーションにおいて、眼内圧を低減するための方法は、ねじられたリボン部材を含む第一の支持体をシュレム管内に円周方向に挿入する工程を含み得、ここで上記第一の支持体は、シュレム管の少なくともある部分の開通性を維持し、シュレム管を横切る経壁の流れを実質的に妨げない。特定のバリエーションにおいて、眼内圧を低減するための方法は、ねじられたリボン部材を含む第一の支持体をシュレム管内に円周方向に挿入する工程を含み得、ここで上記第一の支持体は、シュレム管の中心コアの少なくともある部分を通り、シュレム管の少なくともある部分の開通性を維持し、シュレム管を横切る経壁の流れを実質的に妨げない。いくつかのバリエーションにおいて、眼内圧を低減するための方法は、ねじられたリボン部材を含む第一の支持体をシュレム管内に円周方向に挿入する工程を含み得、ここで上記第一の支持体は、シュレム管の中心コアを完全に通り、シュレム管の少なくともある部分の開通性を維持し、シュレム管を横切る経壁の流れを実質的に妨げない。特定のバリエーションにおいて、眼内圧を低減するための方法は、ねじられたリボン部材を含む第一の支持体をシュレム管内に円周方向に挿入する工程を含み得、ここで上記第一の支持体は、シュレム管の中心コアを完全に通り、シュレム管の少なくともある部分の開通性を維持し、シュレム管を横切る経壁の流れを実質的に妨げず、ここで上記第一の支持体は、シュレム管の第一および第二の内側壁部と接触し、上記第一の内側壁部は、線維柱帯の外部周辺境界と一致し、上記第二の内側壁部は、そこから広がる集合管を有する。いくつかのバリエーションにおいて、眼内圧を低減するための方法は、ねじられたリボン部材を含む第一の支持体をシュレム管内に円周方向に挿入するためにカニューレを使用する工程を含み、ここで上記第一の支持体は、シュレム管の少なくともある部分の開通性を維持し、シュレム管を横切る経壁の流れを実質的に妨げない。
例えば、本発明は、以下の項目を提供する：
（項目１）
眼内圧を低減するためのデバイスであって、該デバイスは：
シュレム管内の少なくともある部分において円周方向に移植可能であって、シュレム管の少なくともある部分の少なくとも部分的な開通性を修復または維持するように配置される支持体を含み、
ここで該支持体は、リボン部材を含む、
デバイス。
（項目２）
上記リボン部材が少なくとも１つの穴を含む、項目１に記載のデバイス。
（項目３）
上記リボン部材がねじられる、項目２に記載のデバイス。
（項目４）
上記リボン部材がねじられる、項目１に記載のデバイス。
（項目５）
項目１に記載のデバイスであって、ここで上記リボン部材が第一の細長いエッジおよび第二の細長いエッジを含み、該第一および第二の細長いエッジは、該デバイスがシュレム管に移植されるときにシュレム管の内側表面と接触するように配置される、デバイス。
（項目６）
項目５に記載のデバイスであって、ここで上記第一および第二の細長いエッジは、該デバイスがシュレム管に移植されるときにシュレム管の上記内側表面と連続して接触するように配置される、デバイス。
（項目７）
項目１に記載のデバイスであって、ここで該デバイスがシュレム管に移植されるときに、該デバイスは、シュレム管を横切る経壁の流れを実質的に妨げない、デバイス。
（項目８）
上記リボン部材が平らである、項目１に記載のデバイス。
（項目９）
上記支持体が形状記憶合金を含む、項目１に記載のデバイス。
（項目１０）
上記形状記憶合金がニッケル−チタン合金を含む、項目９に記載のデバイス。
（項目１１）
上記支持体が金属合金を含む、項目１に記載のデバイス。
（項目１２）
上記金属合金がステンレス鋼を含む、項目１１に記載のデバイス。
（項目１３）
上記支持体が金属を含む、項目１に記載のデバイス。
（項目１４）
上記金属がチタンを含む、項目１３に記載のデバイス。
（項目１５）
眼内圧を低減するための方法であって、該方法は：
リボン部材を含む第一の支持体をシュレム管内で円周方向に挿入する工程を含み、
ここで該第一の支持体は、シュレム管の少なくともある部分の開通性を維持し、シュレム管を横切る経壁の流れを実質的に妨げない、
方法。
（項目１６）
上記方法が、上記第一の支持体がシュレム管内に完全に含まれるように、該第一の支持体を挿入する工程を含む、項目１５に記載の方法。
（項目１７）
上記第一の支持体がシュレム管の中心コアの少なくともある部分を通る、項目１５に記載の方法。
（項目１８）
上記第一の支持体がシュレム管の上記中心コアを完全に通る、項目１７に記載の方法。
（項目１９）
項目１５に記載の方法であって、ここで上記第一の支持体が、シュレム管の第一および第二の内側壁部と接触し、該第一の内側壁部は、線維柱帯の外部周辺境界と一致し、該第二の内側壁部は、そこから広がる集合管を有する、方法。
（項目２０）
上記第一の支持体が、シュレム管の内側表面に順応する、項目１５に記載の方法。
（項目２１）
項目１５に記載の方法であって、ここで上記第一の支持体が、シュレム管内に挿入される前に第一の形状、およびシュレム管内に挿入された後に第二の形状を有し、該第一の形状が、該第二の形状と異なる、方法。
（項目２２）
上記第一の支持体が形状記憶合金を含む、項目２１に記載の方法。
（項目２３）
上記第一の支持体がニッケル−チタン合金を含む、項目２２に記載の方法。
（項目２４）
上記第一の支持体が、切り出しのアプローチを用いてシュレム管内に挿入される、項目１５に記載の方法。
（項目２５）
上記第一の支持体が、切り込みのアプローチを用いてシュレム管内に挿入される、項目１５に記載の方法。
（項目２６）
上記第一の支持体をシュレム管内に挿入するためにカニューレを使用する工程を含む、項目１５に記載の方法。
（項目２７）
上記第一の支持体がシュレム管内に配置されるときに、該第一の支持体は、シュレム管の内側表面と接線でのみ接触する、項目１５に記載の方法。
（項目２８）
上記第一の支持体がシュレム管内に配置されるときに、該第一の支持体は、シュレム管の内側表面と点でのみ接触する、項目１５に記載の方法。
（項目２９）
上記第一の支持体が、内壁表面領域Ｃを有するシュレム管の円柱状セクション内に配置されるときに、該第一の支持体はＣの３０％未満と接触する、項目１５に記載の方法。
（項目３０）
上記第一の支持体がＣの１０％未満と接触する、項目２９に記載の方法。
（項目３１）
上記第一の支持体がＣの１％未満と接触する、項目２９に記載の方法。
（項目３２）
上記第一の支持体の挿入前にシュレム管を拡張する工程さらに含む、項目１５に記載の方法。
（項目３３）
第二の支持体をシュレム管内の円周方向に挿入する工程をさらに含む、項目１５に記載の方法。
（項目３４）
上記第一の支持体が、シュレム管の範囲の約１／８と約１／２との間を占める、項目１５に記載の方法。
（項目３５）
上記第一の支持体が、シュレム管の範囲の約１／４と約１／３との間を占める、項目１５に記載の方法。
（項目３６）
眼内圧を低減するためのキットであって、該キットは第一のデバイスおよび導入器を含み、
該第一のデバイスは、第一の支持体を含み、
該第一の支持体は、シュレム管内の少なくともある部分において円周方向に移植可能であって、シュレム管の少なくともある部分の少なくとも部分的な開通性を修復または維持するように配置され、リボン部材を含み、
該導入器は、該第一のデバイスをシュレム管内に送達するように配置される、
キット。
（項目３７）
上記導入器がカニューレを含む、項目３６に記載のキット。
（項目３８）
上記導入器が、押し出し部材をさらに含む、項目３７に記載のキット。
（項目３９）
シュレム管内の少なくともある部分において円周方向に移植可能であって、シュレム管の少なくともある部分の少なくとも部分的な開通性を修復または維持するように配置される第二の支持体、を含む第二のデバイスをさらに含む、項目３６に記載のキット。
（項目４０）
上記第一のおよび第二の支持体が、異なるサイズを有する、項目３９に記載のキット。
（項目４１）
上記第一のおよび第二の支持体が、異なる形を有する、項目３９に記載のキット。